(57)【要約】【課題】作業中に触感が得られると共に、強い衝撃力に対しても指を保護することができる指プロテクタを提供する。【解決手段】手指１０の、指先から第１指関節までの範囲を、指の腹部１０Ａを除いて覆う形に湾曲成形された、耐衝撃性を有する湾曲プレート１１を備えており、湾曲プレート１１の、指の腹部１０Ａと対面する部分に、湾曲プレート１１に差し込まれた指の腹部１０Ａの表面を突出させる開口部１１Ｂを設けた。湾曲プレート１１の内面にプラスチック層又はゴム層による内張り１２を設け、湾曲プレート１１の先端には、指先と接しかつ指先を僅かに包覆するように折り曲げられた形状のストッパ１１Ａを設けた。【選択図】  図１
0003101653.tif 000002
【実用新案登録請求の範囲】
【請求項１】
手指の、指先から第１指関節までの範囲を、指の腹部を除いて覆う形に湾曲成形された、耐衝撃性を有する湾曲プレートを備え、
前記湾曲プレートの、前記指の腹部と対面する部分に、前記湾曲プレートに差し込まれた指の腹部の表面を突出させる開口部を設けたことを特徴とする指プロテクタ。
【請求項２】
手指の、指先から第１指関節までの範囲を、指の腹部を除いて覆う形に湾曲成形され、かつ、耐衝撃性を有する第１の湾曲プレートと、
前記第１指関節から第２指関節までの範囲を、指の腹部を除いて覆う形に湾曲成形された、耐衝撃性を有する第２の湾曲プレートと、
前記第１の湾曲プレートと第２の各湾曲プレートとを、互いに動きを拘束しないように連結する連結具とを備え、
前記第１および第２の各湾曲プレートの、前記指の腹部と対面する各部分に、前記第１および第２の湾曲プレートに差し込まれた指の腹部の表面を突出させる開口部をそれぞれ設けたことを特徴とする指プロテクタ。
【請求項３】
請求項１又は２に記載の指プロテクタにおいて、
前記湾曲プレートの内面に、プラスチック層又はゴム層による内張りを設けたことを特徴とする指プロテクタ。
【請求項４】
請求項１に記載の指プロテクタにおいて、
前記湾曲プレートの先端に、指先と接し、かつ指先を僅かに包覆するように折り曲げられた形状のストッパを設けたことを特徴とする指プロテクタ。
【請求項５】
請求項４に記載の指プロテクタにおいて、
前記ストッパの内側に、ゴム弾性を有するクッション材を貼着したことを特徴とする指プロテクタ。
【請求項６】
請求項１又は２に記載の指プロテクタにおいて、
前記湾曲プレートを、手袋の各指入部の内部に着脱自在に装入したことを特徴とする指プロテクタ。
【考案の詳細な説明】
【技術分野】
【０００１】
本考案は、ハンマー、ブロック材、石材、鋼材等を扱う手作業を行う際に、手指を保護するのに好適な指プロテクタに関する。
【背景技術】
【０００２】
手作業中に、石材や鋼材等で挟まれたり、ハンマー等により叩かれて手指が損傷することを防止するために、例えば、指入れ部に金属プレートや金属キャップ等を装入した手袋を用いることが従来から知られている（特許文献１、特許文献２参照）。
従来の、手袋内に装着された金属プレートは手指の上側を覆うだけのものであったり、また金属キャップは指に嵌入される円筒状のものであった。
【特許文献１】特開２００１−２７９５０３号公報
【特許文献２】実用新案登録第３０８７５４２号公報
【考案の開示】
【考案が解決しようとする課題】
【０００３】
ところで、上記の技術には、次のような解決すべき課題があった。
手指に加わる外部からの衝撃力がさほど強くない場合は、上記の金属プレートや金属キャップでもその衝撃力を受け止め、あるいは、はね返して手指を保護することが可能である。しかしながら、強い衝撃力を受けた場合には、手指の上側を覆うだけの金属プレートでは、その指の反対面側が他の物体に衝突して損傷してしまうことを防止することができない。また円筒状の金属キャップを使用した場合は、指の周りが保護されるが、金属キャップが衝撃力で変形したときに指から取り外すのに相当の手間がかかって手指の治療が遅れてしまうおそれがある。また、金属キャップを用いた場合は、手作業中に物体を握ったり触れたりする感覚が損なわれるため、細かい作業をするには向いていないという弊害があった。
【０００４】
本考案は、作業中に触感が得られると共に、強い衝撃力に対しても指を保護することができる指プロテクタを提供することを目的とする。
【課題を解決するための手段】
【０００５】
本考案は以上の点を解決するため次の構成を採用する。
〈構成１〉
手指の、指先から第１指関節までの範囲を、指の腹部を除いて覆う形に湾曲成形された、耐衝撃性を有する湾曲プレートを備え、上記湾曲プレートの、上記指の腹部と対面する部分に、上記湾曲プレートに差し込まれた指の腹部の表面を突出させる開口部を設けたことを特徴とする指プロテクタ。
【０００６】
湾曲プレートは、外部からの衝撃を最小限に吸収するもので、ステンレス鋼、ＦＲＰ（繊維強化プラスチック）等、例えば石材や鋼材等で挟まれたり、ハンマー等により叩かれても容易に変形しない程度の耐衝撃性を有する材料により構成されている。
指に湾曲プレートを差し込んでいるときに、指の腹部の表面が湾曲プレートの開口部から外方に突出するようにしている。このため、指が物体に触れた感触をもって細かい作業も可能である。一方、湾曲プレートに押圧力が加わって同指の腹部にもその押圧力が達したとしても、開口部から突出している同腹部の横断面形状が変形して湾曲プレート内に収まった状態となる。このため、指の潰れを防止して大事に至ることがない。万一、湾曲プレートを変形させるような圧力がかかったとしても、衝撃を緩和して、かつ、広がるように潰れるので、指から簡単に分離して応急処置等を迅速に行える。また、湾曲プレートが指の全周を覆っていないので、通常使用時の通気性がよく、指の蒸れが起こり難い。
【０００７】
〈構成２〉
手指の、指先から第１指関節までの範囲を、指の腹部を除いて覆う形に湾曲成形され、かつ、耐衝撃性を有する第１の湾曲プレートと、上記第１指関節から第２指関節までの範囲を、指の腹部を除いて覆う形に湾曲成形された、耐衝撃性を有する第２の湾曲プレートと、上記第１の湾曲プレートと第２の各湾曲プレートとを、互いに動きを拘束しないように連結する連結具とを備え、上記第１および第２の各湾曲プレートの、上記指の腹部と対面する各部分に、上記第１および第２の湾曲プレートに差し込まれた指の腹部の表面を突出させる開口部をそれぞれ設けたことを特徴とする指プロテクタ。
【０００８】
指先から第２指関節までの範囲に亘って手指を保護するものである。
第１および第２の各湾曲プレートが関節の前後にあるので、関節も保護される。
【０００９】
〈構成３〉
構成１又は２に記載の指プロテクタにおいて、上記湾曲プレートの内面に、プラスチック層又はゴム層による内張りを設けたことを特徴とする指プロテクタ。
【００１０】
内張りを設けたことにより、湾曲プレートを装着した際の違和感を和らげ、衝撃の緩和が得られる。
【００１１】
〈構成４〉
構成１に記載の指プロテクタにおいて、上記湾曲プレートの先端に、指先と接し、かつ指先を僅かに包覆するように折り曲げられた形状のストッパを設けたことを特徴とする指プロテクタ。
【００１２】
ストッパにより、指先を保護するものである。
【００１３】
〈構成５〉
構成４に記載の指プロテクタにおいて、上記ストッパの内側に、ゴム弾性を有するクッション材を貼着したことを特徴とする指プロテクタ。
【００１４】
クッション材を設けることにより、指先を外力から保護するだけでなく、断熱性があることから冷感がなく良好な装着感が得られる。
【００１５】
〈構成６〉
構成１又は２に記載の指プロテクタにおいて、上記湾曲プレートを手袋の各指入部の内部に、着脱自在に装入したことを特徴とする指プロテクタ。
【００１６】
湾曲プレートを、手袋の弾力を利用して着脱自在に保持するようにする。構成２の連結具を手袋で代用することができる。また、手袋は、指の動きやものを掴んだ感触を考慮すると、綿製あるいはポリエステル樹脂製が好ましい。
手袋と湾曲プレートとを、着脱自在、すなわち分離可能にすることによって、互いに新旧交換したり洗濯や手入れ等を自由に行うことができる。
【考案を実施するための最良の形態】
【００１７】
以下、本考案の実施の形態を具体例を用いて説明する。
【実施例１】
【００１８】
図１は本考案の指プロテクタの一実施例を側面から見た図、図２は同実施例を底面から見た図、図３は同実施例を正面から見た図である。
これらの図に示す本考案の指プロテクタは、指１０の、指先から第１指関節までの範囲を、指の腹部１０Ａを除いて覆う形に湾曲成形された湾曲プレート１１からなるものである。湾曲プレート１１の、指の腹部１０Ａを除く部分は、指の腹部１０Ａと対面する部分であり、指の長さ方向に延びる開口部１１Ｂとなっている。開口部１１Ｂは、指を湾曲プレートに差し込んだとき、指の腹部１０Ａの表面を外方に突出させるようにするものである。
【００１９】
湾曲プレート１１は、ステンレス鋼、ＦＲＰ（ガラス繊維強化プラスチック）等、例えば石材や鋼材等で挟まれたり、ハンマー等により叩かれても容易に変形しない程度の耐衝撃性を有する材料により構成されている。湾曲プレート１１としては、なるべく軽量、安価であることも好ましいので、用途に応じた材料を適宜選択して使用することがよい。
【００２０】
湾曲プレート１１の内側に、ポリアミド樹脂などのプラスチック層による内張り１２が設けられている。さらに、湾曲プレート１１の先端には、指先と接し、かつ指先を僅かに包覆するように折り曲げられた形状のストッパ１１Ａが設けられている。このストッパ１１Ａの内側には、指先を保護するために、スポンジゴム等のゴム弾性を有するクッション材１３が貼着されている。
内張り１２およびクッション材１３は、手指を外力から保護するだけでなく、断熱性を有することから、湾曲プレート１１を装着した際のひんやりとした冷感がなく良好な装着感をもたらすものである。
【００２１】
図４は本考案の指プロテクタを使用している状態を示している。
図４（ａ）に示すように、指に湾曲プレート１１を差し込んで取り付けたときに、指の腹部１０Ａの表面が湾曲プレート１１の開口部１１Ｂから外方に突出している。このため、例えば架台等の物体１４に触れた感触をもって細かい作業も可能である。
【００２２】
一方、図４（ｂ）に示すように、湾曲プレート１１に押圧力が加わり、同指の腹部１０Ａにもその押圧力が達したとしても同腹部１０Ａの表面のみが若干偏平になって湾曲プレート１１内に収まった状態となり、指の潰れ等の損傷を防止して大事に至ることがない。つまり、湾曲プレート１１の側壁の高さは、指を損傷しない程度に押しつぶしたときの指の高さに、湾曲プレート１１の肉厚を加えた高さと同程度がよい。
【００２３】
上記した指プロテクタは、使用時には図５に示すように手袋１５に装着するようにしてもよい。
すなわち、手袋１５の各指入部の内部に、それぞれ湾曲プレート１１を挿入し、手袋の弾性あるいは易剥離性の接着剤により着脱自在に保持するようにする。手袋１５は指の動きやものを掴んだ感触を考慮すると、綿製あるいはポリエステル樹脂製が好ましい。
手袋１５と湾曲プレート１１とを、着脱自在に装入したことによって、湾曲プレート１１を新旧交換したり、手袋１５を洗濯したりすることが自由にできる。
【実施例２】
【００２４】
本考案の指プロテクタとしては、指先から第１指関節までの範囲を覆う大きさのものに限らずに、さらに第１指関節から第２指関節までの範囲を覆うものも含めてもよい。
すなわち、指先から第１指関節までの範囲を、指の腹部を除いて覆う形に湾曲成形された第１の湾曲プレートと、指の第１指関節から第２指関節までの範囲を、指の腹部を除いて覆う形に湾曲成形された第２の湾曲プレートと、第１の湾曲プレートと第２の各湾曲プレートとを、互いに動きを拘束しないように連結する連結具とを備えるようにしてもよい。
【００２５】
この場合も実施例１と同様に、第１および第２の各湾曲プレートは、ステンレス鋼、ＦＲＰ等の耐衝撃性を有する材料から構成され、指の腹部と対面する各部分には、第１および第２の湾曲プレートに差し込まれた指の腹部の表面を突出させる開口部がそれぞれ設けられている。また第１および第２の湾曲プレートの内側に、ポリアミド樹脂などのプラスチック層による内張り１２が装着されている。さらに、第１の湾曲プレートの先端には、指先と接し、かつ指先を僅かに包覆するように折り曲げられた形状のストッパが設けられ、このストッパの内側には、指先を保護するために、スポンジゴム等のゴム弾性を有するクッション材が貼着されている。
【００２６】
この実施例においても、図４（ａ）に示したものと同様に、指に第１および第２の湾曲プレートを差し込んでいるときに、指の腹部の表面が各湾曲プレートの開口部から外方に突出している。このため、物体に触れた感触をもって細かい作業も可能である。また、図４（ｂ）に示したものと同様に、第１および第２の湾曲プレートに押圧力が加わり、同指の腹部にもその押圧力が達したとしても同腹部の表面のみ若干偏平になって湾曲プレート内に収まった状態となり、指の潰れ等の損傷を防止して大事に至ることがない。
【図面の簡単な説明】
【００２７】
【図１】本考案の指プロテクタの一実施例を側面から見た説明図である。
【図２】同実施例を底面から見た説明図である。
【図３】同実施例を正面から見た説明図である。
【図４】本考案の指プロテクタの使用状態の説明図である。
【図５】本考案の指プロテクタの使用状況の説明図である。
【符号の説明】
【００２８】
１０  指
１０Ａ  指の腹部
１１  湾曲プレート
１１Ａ  ストッパ
１１Ｂ  開口部
１２  内張り
１３  クッション材
１５  手袋
【図１】
0003101653.tif 000003
【図２】
0003101653.tif 000004
【図３】
0003101653.tif 000005
【図４】
0003101653.tif 000006
【図５】
0003101653.tif 000007